(57)【特許請求の範囲】
【請求項１】
ベースに対して近接する押圧方向への移動が可能に設けられた操作板と、
この操作板の裏側に位置させて軸を介して回動可能に設けられ、スイッチ操作部を有した第１の可動部材と、
前記操作板の裏側に位置させて前記第１の可動部材の軸から離れかつその軸と平行な軸を介して回動可能に設けられ、前記第１の可動部材の動きを制御する制御部を有した第２の可動部材と、
前記操作板の裏側に位置させて設けられ、前記スイッチ操作部により状態が変化される１個のスイッチ手段とを備え、
前記操作板を押圧操作することに基づき、前記第１及び第２の可動部材の回動を伴って前記スイッチ操作部により前記スイッチ手段の状態が変化される構成としたことを特徴とするスイッチ装置。
【請求項２】
操作板はベースから引き離される方向への移動も可能で、この操作板を引き操作した際にも、第１及び第２の可動部材の回動を伴ってスイッチ操作部によりスイッチ手段の状態が変化される構成となっていることを特徴とする請求項１記載のスイッチ装置。
【請求項３】
第１の可動部材の軸から離れた部位に、操作板の操作に基づき第１の可動部材を回動操作させる第１の操作部が設けられていると共に、第２の可動部材の軸から離れた部位に、操作板の操作に基づき第２の可動部材を回動操作させる第２の操作部が設けられていて、これら第１及び第２の操作部は、それぞれ操作板の幅方向の両側に位置するように配置されていることを特徴とする請求項１または２記載のスイッチ装置。
【請求項４】
第１の可動部材の軸から離れた部位に、操作板の操作に基づき第１の可動部材を回動操作させる第１の操作部が設けられていると共に、第２の可動部材の軸から離れた部位に、操作板の操作に基づき第２の可動部材を回動操作させる第２の操作部が設けられていて、操作板の非操作状態で、それら第１の可動部材と第１の操作部との間、及び第２の可動部材と第２の操作部との間はそれぞれ離間していることを特徴とする請求項１または２記載のスイッチ装置。
【請求項５】
スイッチ手段は押圧操作される操作子を有した押釦スイッチであり、操作板の非操作状態で、前記押釦スイッチの操作子がスイッチ操作部により押圧操作された状態となっていることを特徴とする請求項１または２記載のスイッチ装置。
【請求項６】
操作板には、これの回動支点となる操作板軸が第１及び第２の可動部材の各軸と平行に設けられていることを特徴とする請求項２記載のスイッチ装置。
【請求項７】
操作板には、一端部に手掛け部が設けられていると共に、操作板軸が複数設けられており、操作板の引き操作の途中に、有効な操作板軸が前記手掛け部に対して遠い側のものから近い側のものに移ることを特徴とする請求項６記載のスイッチ装置。
【発明の詳細な説明】
【０００１】
【発明の属する技術分野】
本発明は、比較的広い操作面を有した操作板の操作に基づき１個のスイッチ手段の状態を変化させる構成としたスイッチ装置に関する。
【０００２】
【発明が解決しようとする課題】
この種のスイッチ装置の従来の一例を図１０及び図１１に示す。操作板１は、図中上面が操作面１ａとされた矩形板状をなしていて、ベース２に対してばね３を介して押圧操作可能に設けられている。ベース２には、操作板１の裏面のほぼ中央部に対応する部位に位置させて１個の押釦スイッチ４が配設されている。
【０００３】
しかして、操作板１の非操作状態では、図１０に示すように、押釦スイッチ４の操作子４ａは押圧されてはおらず、押釦スイッチ４は例えばオフ状態を呈している。この状態から操作板１を押圧操作すると、図１１に示すように、操作板１の裏面で操作子４ａが押圧され、これに基づき押釦スイッチ４はオン状態となる。
【０００４】
しかしながら、上記した従来構成のものでは、操作板１の裏面で押釦スイッチ４の操作子４ａを直接押圧操作する構成となっているので、操作板１の中心部を押圧操作した場合と、中心から離れた端部を押圧操作した場合とでは、操作子４ａを押圧操作するストロークが大きく違ってくる。このため、操作板１の端部を押圧操作する場合には、押釦スイッチ４の動作が不確実になりやすいものであり、操作板１の操作可能範囲が狭くなる不具合があった。
【０００５】
本発明は上記した事情に鑑みてなされたものであり、その目的は、操作板の操作に基づき１個のスイッチ手段の状態を変化させる構成のものにおいて、操作板の操作可能範囲を広くできるスイッチ装置を提供することにある。
【０００６】
【課題を解決するための手段】
上記の目的を達成するために、請求項１の発明は、ベースに対して近接する押圧方向への移動が可能に設けられた操作板と、この操作板の裏側に位置させて軸を介して回動可能に設けられ、スイッチ操作部を有した第１の可動部材と、前記操作板の裏側に位置させて前記第１の可動部材の軸から離れかつその軸と平行な軸を介して回動可能に設けられ、前記第１の可動部材の動きを制御する制御部を有した第２の可動部材と、前記操作板の裏側に位置させて設けられ、前記スイッチ操作部により状態が変化される１個のスイッチ手段とを備え、前記操作板を押圧操作することに基づき、前記第１及び第２の可動部材の回動を伴って前記スイッチ操作部により前記スイッチ手段の状態が変化される構成としたことを特徴とするものである。
【０００７】
上記した構成のものでは、操作板を押圧操作することに基づき、第１及び第２の可動部材が回動され、このうちの第１の可動部材のスイッチ操作部によりスイッチ手段の状態が変化される構成となっているので、スイッチ手段を操作板で直接操作するものとは違い、スイッチ手段の操作には、操作板を操作する位置は直接関係がない。よって、操作板の操作に基づき１個のスイッチ手段の状態を変化させる構成のものにおいて、操作板の操作可能範囲を広くできる。
【０００８】
この場合、操作板はベースから引き離される方向への移動も可能とし、この操作板を引き操作した際にも、第１及び第２の可動部材の回動を伴ってスイッチ操作部によりスイッチ手段の状態が変化される構成とすることが好ましい（請求項２の発明）。
【０００９】
第１の可動部材の軸から離れた部位に、操作板の操作に基づき第１の可動部材を回動操作させる第１の操作部を設けると共に、第２の可動部材の軸から離れた部位に、操作板の操作に基づき第２の可動部材を回動操作させる第２の操作部を設け、これら第１及び第２の操作部は、それぞれ操作板の幅方向の両側に位置するように配置することが好ましい（請求項３の発明）。これによれば、操作板の幅方向の端部を操作した場合でも、第１及び第２の回動部材を確実に回動動作させることが可能となり、ひいてはスイッチ手段の状態を確実に変化させることが可能となる。
【００１０】
また、操作板の非操作状態で、前記第１の可動部材と第１の操作部との間、及び第２の可動部材と第２の操作部との間はそれぞれ離間させておくことが好ましい（請求項４の発明）。
スイッチ手段は押圧操作される操作子を有した押釦スイッチとし、操作板の非操作状態で、その押釦スイッチの操作子がスイッチ操作部により押圧操作された状態とすることが好ましい（請求項５の発明）。これによれば、操作板を操作した場合には、スイッチ操作部が押釦スイッチの操作子に対する押圧を解除することになる。このため、操作板の操作時に、押釦スイッチの操作子にその操作の衝撃や強い操作力が直接作用することがない。
【００１１】
操作板には、これの回動支点となる操作板軸を第１及び第２の可動部材の各軸と平行に設けることが好ましい（請求項６の発明）。また、操作板には、一端部に手掛け部を設けると共に、操作板軸を複数設け、操作板の引き操作の途中に、有効な操作板軸が前記手掛け部に対して遠い側のものから近い側のものに移るように構成することが好ましい（請求項７の発明）。
【００１２】
【発明の実施の形態】
以下、本発明の一実施例について、図１ないし図９を参照して説明する。まず、図９には冷蔵庫１１の上部の外観が示されている。この冷蔵庫１１における冷蔵庫本体１２の上部には貯蔵室としての冷蔵室１３が形成されていて、その前面には、当該冷蔵室１３の前面開口部を開閉する扉１４が一端部のヒンジ１５を介して回動可能に設けられている。扉１４の内面側の周縁部には、図示しないマグネットを有したガスケット１６が設けられていて、扉１４の閉鎖状態でそのガスケット１６が冷蔵室１３の前面開口部の周縁部に吸着するようになっている。
【００１３】
冷蔵庫本体１２の上面部において、上記ヒンジ１５とは反対側（図９において左側）の端部寄りの部位には、上記扉１４を開放させるためのアクチュエータとしてソレノイド式の扉開放用ユニット１７が設けられている。この扉開放用ユニット１７は、通電状態で押圧用の押出し棒１８が前方に向けて突出し、その押出し棒１８の先端部により上記扉１４に設けられた被押圧部１９が押圧されることによって扉１４が開放されるようになっている。
【００１４】
扉１４の前面の左側には、操作パネル２０と、扉１４のハンドル装置を兼ねるスイッチ装置２１とがユニット化された状態で上下に設けられている。扉１４の前面において、操作パネル２０及びスイッチ装置２１を設ける部分には、図８に示すように取付部２２が凹状に形成されていて、この取付部２２にユニットベース２３が取り付けられている。このユニットベース２３には、プリント基板２４が取り付けられている。このプリント基板２４において、操作パネル２０に対応する上部部分には、図示されていないが、複数個のスイッチや発光ダイオードなどが設けられており、また、スイッチ装置２１に対応する下部部分には、スイッチ手段を構成する１個の押釦スイッチ２７などが設けられている。押釦スイッチ２７の操作子２７ａは、前方へ突出する方向に付勢されている。ユニットベース２３において、下部（図８において右部）の左右両側には、軸ガイド部２８が対向状態に設けられている。各軸ガイド部２８の前部（図８の上部）には、庇状の規制部２８ａが設けられている。
【００１５】
次に、スイッチ装置２１の操作部に関係する部分について、主に図１ないし図３を参照して説明する。スイッチ装置２１の操作板２９は、上記取付部２２の下部を前方から覆うような上下方向に長い矩形板状をなしていて、下部に手掛け部３０が一体に設けられている。この操作板２９の裏面側の上部（図２及び図３において右部）には、左右一対の軸支持部３１と左右一対の係合部３２とが設けられ、上下方向のほぼ中央部には逆Ｌ字形をなす左右一対の係止部３３が設けられ、この係止部３３の下方には左右一対の軸支持部３４が設けられ、この軸支持部３４の下方にも左右一対の軸支持部３５が設けられ、さらに、左右両側に上下方向に延びる左右一対のリブ３６が設けられている。
【００１６】
そして、上記上部側の一対の軸支持部３１には、第１の可動部材３７の一端部に設けられた一対の軸３８が挿入されていて、第１の可動部材３７は、その軸３８を介して操作板２９の裏側に回動可能に取り付けられている。この第１の可動部材３７には、上下方向中央部の左右両側に横方向へ突出する張出し部３９が設けられ、また、軸３８とは反対側の端部に平坦なスイッチ操作部４０が設けられ、このスイッチ操作部４０の一方の側部にＬ字形の受け部４１が設けられている。
【００１７】
上記中央部寄りの一対の軸支持部３４には、第２の可動部材４２の一端部に設けられた一対の軸４３（一方のみ示す）が挿入されていて、第２の可動部材４２は、その軸４３を介して操作板２９の裏側に回動可能に取り付けられている。この場合、軸４３は、操作板軸を兼ねている。この第２の可動部材４２において上記受け部４１に対応する部位に、第１の可動部材３７側へ向けて突出する制御部４４が設けられていて、この制御部４４が受け部４１に引っ掛けられている。また、第２の可動部材４２の左右両側に、横方向へ突出する張出し部４５が設けられていて、これら両張出し部４５が、上記係止部３３に係止されている。また、第２の可動部材４２には、付勢手段を構成するねじりコイルばね４６が取り付けられている。このねじりコイルばね４６は、一端部４６ａが当該第２の可動部材４２に引っ掛けられ、他端部４６ｂが操作板２９の裏面に当接していて、第２の可動部材４２を図１及び図２の矢印Ａ方向へ回動付勢している。上記した下部側の軸支持部３５には、操作板軸４７が挿通支持されている。
【００１８】
操作板２９の裏側には、補助ベース４８が配置されている。この補助ベース４８と、前記ユニットベース２３は、スイッチ装置２１のベースを構成している。補助ベース４８には、上部の左右両側に操作板２９の前記係合部３２に前部から（図１では上部）係合する被係合部４９が設けられていると共に、前記第２の可動部材４２の一対の軸４３に対応する部位にそれら軸４３に前部から（図１では上部）係合する軸ガイド部５０が設けられていて、補助ベース４８は、これらの係合により操作板２９の裏側に取り付けられている。この軸ガイド部５０の端部にも、庇状の規制部５０ａが設けられている。そして、この補助ベース４８は、複数の係合爪５１をユニットベース２３に係合させることにより当該ユニットベース２３に抜止め状態に取り付けられている。
【００１９】
補助ベース４８には、被係合部４９の近傍に位置させて前記第１の可動部材３７の張出し部３９に後部から（図１では下部）当接可能な第１の操作部５２が幅方向の左右両側に位置させて設けられていると共に、第２の可動部材４２の張出し部４５に対応する部位に位置させてその張出し部４５に後部から（図１では下部）当接可能な第２の操作部５３が幅方向の左右両側に位置させて設けられている。さらに、この補助ベース４８には、下部（手掛け部３０側）及び左右両側部に、操作板２９の押圧方向への位置を規制するためのストッパ部５４及び５５が設けられている。操作板２９の上部における左右両側部の内面に、ストッパ部５５に当接可能な凸部５６が設けられている。
【００２０】
そして、補助ベース４８をユニットベース２３に取り付けた状態で、上記操作板軸４７の両端部が、前記軸ガイド部２８に前後方向（図１では上下方向）に移動可能に挿入されている。
【００２１】
次に、上記構成の作用を説明する。
扉１４の閉鎖状態で、かつ操作板２９を操作していない非操作状態では、図１に示すように、第２の可動部材４２が、ねじりコイルばね４６の付勢力により矢印Ａ方向に回動付勢されていて、その第２の可動部材４２の制御部４４により第１の可動部材３７の受け部４１が後方（図１では下方）へ押圧されている。これに伴い、第１の可動部材３７は図１中矢印Ｂ方向に回動付勢されていて、スイッチ操作部４０により押釦スイッチ２７の操作子２７ａを押圧している。この場合、押釦スイッチ２７はオフ状態を呈している。
【００２２】
この状態では、第１の操作部５２と第１の可動部材３７の張出し部３９との間、及び第２の操作部５３と第２の可動部材４２の張出し部４５との間は離間している。また、第２の可動部材４２の軸４３は、軸ガイド部５０の規制部５０ａに下方から当接し、操作板軸４７の両端部と軸ガイド部２８の規制部２８ａとの間は離間している。さらに、操作板２９は、補助ベース４８のストッパ部５４，５５から離間している。
【００２３】
上記した図１の状態で、図４に示すように、操作板２９の下部（図４では右端部）が矢印Ｃ方向へ押圧操作された場合には、操作板２９は、係合部３２と被係合部４９との係合部分を支点にして同矢印Ｃ方向へ回動され、ストッパ部５４に当接することでそれ以上の回動が規制される。この操作板２９の矢印Ｃ方向への回動に伴い、第２の可動部材４２の張出し部４５が第２の操作部５３に当接し、第２の可動部材４２は、ねじりコイルばね４６の付勢力に抗して、軸４３を中心にして矢印Ａとは反対の矢印Ｄ方向に回動される。すると、制御部４４が第１の可動部材３７の受け部４１から離間し、第１の可動部材３７は自由状態となる。この結果、押釦スイッチ２７の操作子２７ａ自身が突出する突出力によりスイッチ操作部４０が突き上げられ、第１の可動部材３７は矢印Ｂとは反対の矢印Ｅ方向へ回動され、また、押釦スイッチ２７はオン状態に切り替わる。
【００２４】
押釦スイッチ２７がオン状態になると、扉開放用ユニット１７が通電され、その押出し棒１８が前方へ突出することにより扉１４の左端部が押圧され、これに伴い、ガスケット１６の吸着力に抗して扉１４が開放方向に向けて回動され、当該扉１４が開放される。
【００２５】
また、図１の状態から、図５に示すように、操作板２９の上下方向の中央部（図５では左右方向の中央部）が矢印Ｃ方向へ押圧操作された場合には、操作板２９は、全体が補助ベース４８側に平行移動し、ストッパ部５４，５５に当接することでそれ以上の移動が規制される。このように操作板２９が矢印Ｃ方向へ移動すると、第１の可動部材３７は、張出し部３９が第１の操作部５２に当接して、軸３８を中心にして矢印Ｅ方向に回動され、また、第２の可動部材４２は、張出し部４５が第２の操作部５３に当接し、ねじりコイルばね４６の付勢力に抗して、軸４３を中心にして矢印Ｄ方向に回動されるようになる。このとき、第１の可動部材３７が矢印Ｅ方向へ回動することに伴い、押釦スイッチ２７の操作子２７ａが突出し、押釦スイッチ２７はオン状態に切り替わる。
【００２６】
一方、図１の状態から、図６に示すように、操作板２９の下部の手掛け部３０に指を掛け、操作板２９が矢印Ｆ方向へ引き操作された場合には、まず、操作板軸を兼ねる軸４３が軸ガイド部５０の規制部５０ａに当接し、操作板２９は、その軸４３を中心にして同矢印Ｆ方向に回動する。そして、図７に示すように、操作板軸４７が軸ガイド部２８の規制部２８ａに当接するようになると、操作板２９は、その操作板軸４７を中心に矢印Ｆ方向に回動されるようになり、操作板２９の上部の凸部５６が上部側のストッパ部５４に当接することでそれ以上の回動が規制されるようになる。
【００２７】
ここで、このように操作板２９を引き操作した場合には、操作板２９の回動支点となる軸は操作板軸を兼ねる軸４３と操作板軸４７との２箇所にあり、操作板２９の引き操作の途中に、有効な操作板軸が手掛け部３０に対して遠い側の軸４３から近い側の操作板軸４７に移る構成となっている。
【００２８】
このとき、操作板２９の矢印Ｆ方向への回動に伴い、第１の可動部材３７の張出し部３９が第１の操作部５２に当接して当該第１の可動部材３７が矢印Ｅ方向へ回動し、これに伴い押釦スイッチ２７はオン状態に切り替わる。
なお、操作板２９の上部側（図１で左端部側）を押圧操作した場合も、上記引き操作した場合と同様に動作するようになる。
【００２９】
上記した実施例によれば、次のような効果を得ることができる。
操作板２９を押圧操作することに基づき、第１及び第２の可動部材３７及び４２が回動され、このうちの第１の可動部材３７のスイッチ操作部４０により押釦スイッチ２７の状態が変化される構成となっているので、押釦スイッチの操作子を操作板で直接操作するものとは違い、押釦スイッチ２７の操作には、操作板２９を操作する位置は直接関係がない。よって、操作板２９の操作に基づき１個の押釦スイッチ２７の状態を変化させる構成のものにおいて、操作板２９の操作可能範囲を広くできる。
【００３０】
この場合、操作板２９を引き操作した際にも、第１及び第２の可動部材３７及び４２の回動を伴ってスイッチ操作部４０により押釦スイッチ２７の状態が変化される構成としているので、操作板２９を引き操作した手の位置や動作を変えることなく、扉１４を開放動作させることができ、操作性を一層よくできる。
【００３１】
第１及び第２の可動部材３７及び４２を回動させる第１及び第２の操作部５２及び５３を、それぞれ操作板２９の幅方向の両側に位置するように配置しているので、操作板２９の幅方向の端部を操作した場合でも、第１及び第２の回動部材３７及び４２を確実に回動動作させることが可能となり、ひいては押釦スイッチ２７の状態を確実に変化させることが可能となる。
【００３２】
また、操作板２９の非操作状態で、第１の可動部材３７と第１の操作部５２との間、及び第２の可動部材４２と第２の操作部５３との間はそれぞれ離間させた構成としているので、例えば部品の寸法が設計寸法に対して若干ばらつきがあった場合でも、操作板２９の非操作状態で、第１の操作部５２が第１の可動部材３７を跳ねあげたり、第２の操作部５３が第２の可動部材４２を跳ねあげたりすることを防止できる。よって、スイッチ操作部４０と押釦スイッチ２７の操作子２７ａとの位置関係を極力一定に保つことが可能になる。
【００３３】
さらに、スイッチ手段として押釦スイッチ２７を用い、操作板２９の非操作状態で、その押釦スイッチ２７の操作子２７ａが第１の可動部材３７のスイッチ操作部４０により押圧操作された構成としているので、操作板２９を操作した場合には、スイッチ操作部４０が押釦スイッチ２７の操作子２７ａに対する押圧を解除することになる。このため、操作板２９の操作時に、押釦スイッチ２７の操作子２７ａにその操作の衝撃や強い操作力が直接作用することがない。なお、操作板２９に対する操作を解除した場合に、スイッチ操作部４０が押釦スイッチ２７の操作子２７ａを押圧することになるが、この場合の操作力はねじりコイルばね４６のばね力であるので、その操作子２７ａを押圧する際の衝撃や応力のばらつきは小さい。
【００３４】
ちなみに、操作板を操作した場合に、押釦スイッチの操作子を操作板で直接押圧する構成とした場合には、その押釦スイッチを操作する操作が、操作する人間に依存する。人間の操作の強さやスピードにはばらつきがあり、このため、その押釦スイッチに強い衝撃や応力が作用して損傷を与えるおそれがある。この点、本実施例によれば、上記したように、押釦スイッチ２７の操作子２７ａに対する操作力のばらつきが少なく、押釦スイッチ２７に強い衝撃や応力が作用することを防止できる。
【００３５】
一方、操作板２９には、これの回動支点となる軸は操作板軸を兼ねる軸４３と操作板軸４７との２箇所にあり、操作板２９の引き操作の途中に、有効な操作板軸が手掛け部３０に対して遠い側の軸４３から近い側の操作板軸４７に移る構成となっている。このため、操作板２９の引き始めは、操作板２９の回動支点は軸４３であり、その軸４３と操作板２９を引き操作する手掛け部３０との間の距離は比較的大きく、操作板２９を回転させるモーメントを与えるための操作力としては比較的小さくてよい。逆に、操作板２９を引き切った場合には、操作板２９の回動支点は操作板軸４７であり、その操作板軸４７と手掛け部３０との距離は小さくなる。このため、手掛け部３０を引く力を同じとした場合には、軸４３を最後まで回動支点とする場合に比べて、操作板軸４７及びこれを受ける軸ガイド部５０の規制部５０ａに作用する力は小さくできる。
【００３６】
本発明は、上記した実施例にのみ限定されるものではなく、次のように変形または拡張することができる。
第１及び第２の操作部５２及び５３は、それぞれ左右に分けて配置することに代えて、それらの間を繋ぐようにしても良い。
ねじりコイルばね４６に代えて、圧縮コイルばねを用いることもできる。
【００３７】
スイッチ手段は、押釦スイッチ２７に限らず、例えばフォトインタラプタを用いることもできる。
補助ベース４８とユニットベース２３とを一体化することもできる。
本発明のスイッチ装置は、操作面を広くした操作板を有するスイッチ装置であれば、扉１４に設けられるスイッチ装置２１以外にも適用できる。
【００３８】
【発明の効果】
以上の説明から明らかなように、本発明によれば次のような効果を得ることができる。
請求項１の発明によれば、操作板を押圧操作することに基づき、第１及び第２の可動部材が回動され、このうちの第１の可動部材のスイッチ操作部によりスイッチ手段の状態が変化される構成となっているので、操作板の操作可能範囲を広くできる。
【００３９】
請求項２の発明によれば、操作板を引き操作した際にも、第１及び第２の可動部材の回動を伴ってスイッチ操作部によりスイッチの状態が変化される構成としているので、操作性を一層よくできる。
【００４０】
請求項３の発明によれば、第１及び第２の可動部材を回動させる第１及び第２の操作部を、それぞれ操作板の幅方向の両側に位置するように配置しているので、操作板の幅方向の端部を操作した場合でも、第１及び第２の回動部材を確実に回動動作させることが可能となり、ひいてはスイッチ手段の状態を確実に変化させることが可能となる。
【００４１】
請求項４の発明によれば、操作板の非操作状態で、第１の可動部材と第１の操作部との間、及び第２の可動部材と第２の操作部との間はそれぞれ離間させた構成としているので、例えば部品の寸法が設計寸法に対して若干ばらつきがあった場合でも、操作板の非操作状態で、第１の操作部が第１の可動部材を回動させたり、第２の操作部が第２の可動部材を回動させたりすることを防止できる。よって、スイッチ操作部とスイッチ手段との位置関係を極力一定に保つことが可能になる。
【００４２】
請求項５の発明によれば、スイッチ手段として押釦スイッチを用い、操作板の非操作状態で、その押釦スイッチの操作子が第１の可動部材のスイッチ操作部により押圧操作された構成としているので、操作板を操作した場合には、スイッチ操作部が押釦スイッチの操作子に対する押圧を解除することになる。このため、操作板の操作時に、押釦スイッチの操作子にその操作の衝撃や強い操作力が直接作用することを防止できる。
【００４３】
請求項７の発明によれば、操作板にはこれの回動支点となる操作板軸が複数あり、操作板の引き操作の途中に、有効な操作板軸が手掛け部に対して遠い側のものから近い側のものに移る構成となっているため、操作板の引き始めは、有効な操作板軸と手掛け部との間の距離は比較的大きく、操作板を回転させるモーメントを与えるための操作力としては比較的小さくてよい。逆に、操作板を引き切った場合には、有効な操作板軸が手掛け部に近くなり、その操作板軸と手掛け部との距離は小さくなるため、操作板軸及びこれを受ける軸受部に作用する力を小さくできる。
【図面の簡単な説明】
【図１】本発明の一実施例を示す要部の縦断側面図
【図２】補助ベースと操作板部分の分解斜視図
【図３】操作板と、第１及び第２の可動部材の分解斜視図
【図４】操作板の一端部を押圧操作した状態の縦断側面図
【図５】操作板の中央部を押圧操作した状態の図４相当図
【図６】操作板を引き操作した際の途中状態の図４相当図
【図７】操作板を引き切った状態の図４相当図
【図８】操作パネル、及びスイッチ装置部分の分解斜視図
【図９】冷蔵庫の上部部分の斜視図
【図１０】従来例を示す図１相当図
【図１１】操作板の一端部を押圧操作した状態の縦断側面図
【符号の説明】
１１は冷蔵庫、１４は扉、１７はソレノイド、２０は操作パネル、２１はスイッチ装置、２３はユニットベース（ベース）、２７は押釦スイッチ（スイッチ手段）、２７ａは操作子、２９は操作板、３０は手掛け部、３７は第１の可動部材、３８は軸、４０はスイッチ操作部、４１は受け部、４２は第２の可動部材、４３は軸（操作板軸）、４４は制御部、４６はねじりコイルばね、４７は操作板軸、４８は補助ベース（ベース）、５２は第１の操作部、５３は第２の操作部、５４，５５はストッパ部を示す。
【図１】
0003655135.tif 000002
【図２】
0003655135.tif 000003
【図３】
0003655135.tif 000004
【図４】
0003655135.tif 000005
【図５】
0003655135.tif 000006
【図６】
0003655135.tif 000007
【図７】
0003655135.tif 000008
【図８】
0003655135.tif 000009
【図９】
0003655135.tif 000010
【図１０】
0003655135.tif 000011
【図１１】
0003655135.tif 000012